【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】
外面に電極として電流導体層が形成された管状ガラスランプ容器を備えた低圧放電ランプであって、
前記電流導体層は、半田ディッピングにより形成された半田ディッピング層であり、
当該半田ディッピング層は、スズ、スズとインジウムとの合金、若しくはスズとビスマスとの合金のいずれかを主成分とする半田材であることを特徴とする低圧放電ランプ。
【請求項２】
前記半田ディッピング層は、アンチモン、亜鉛、アルミニウムの少なくとも１種類を添加剤として含むことを特徴とする請求項１に記載の低圧放電ランプ。
【請求項３】
前記半田ディッピング層は、鉛成分を含まないことを特徴とする請求項１又は２に記載の低圧放電ランプ。
【請求項４】
前記管状ガラスランプ容器の前記電流導体層を形成すべき部位にブラスト処理面を形成し、当該ブラスト処理面に前記半田ディッピングにより前記電流導体層を形成したことを特徴とする請求項１〜３のいずれかに記載の低圧放電ランプ。
【請求項５】
スズ、スズとインジウムとの合金、若しくはスズとビスマスとの合金のいずれかを主成分とする半田材が溶融する溶融半田槽に管状ガラスランプ容器のランプ端部をディッピングし、外面電極をなす電流導体層を形成することを特徴とする低圧放電ランプの製造方法。
【請求項６】
前記管状ガラスランプ容器のランプ端部の外周面にブラスト処理を施した後、当該ランプ端部を前記溶融半田槽にディッピングすることを特徴とする請求項５に記載の低圧放電ランプの製造方法。
【請求項７】
前記半田材はアンチモン、亜鉛、アルミニウムの少なくとも１種類を添加剤として含むことを特徴とする請求項５又は６に記載の低圧放電ランプの製造方法。
【請求項８】
前記半田材は鉛成分を含まないことを特徴とする請求項５〜７のいずれかに記載の低圧放電ランプの製造方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
【課題を解決するための手段】
請求項１の発明は、外面に電極として電流導体層が形成された管状ガラスランプ容器を備えて成る低圧放電ランプであって、前記電流導体層は、半田ディッピングにより形成された半田ディッピング層であり、当該半田ディッピング層は、スズ、スズとインジウムとの合金、若しくはスズとビスマスとの合金のいずれかを主成分とする半田材であることを特徴とするものである。
【手続補正１６】
【補正対象書類名】明細書
【補正対象項目名】００２４
【補正方法】変更
【補正の内容】
【００２４】
請求項１の発明の低圧放電ランプでは、ガラス管に馴染みの良いスズ、スズとインジウムとの合金、若しくはスズとビスマスとの合金のいずれかを主成分とする半田ディッピング層を電流導体層として備えたことで、外面電極をなす電流導体層が管状ガラスランプ容器の表面に均一に良く密着し、高性能な低圧放電ランプとなる。しかも、電流導体層の形成に半田ディッピング法を採用することによって低圧放電ランプの大量生産化が可能で、低価格化が図れる。
【手続補正１７】
【補正対象書類名】明細書
【補正対象項目名】００２５
【補正方法】変更
【補正の内容】
【００２５】
請求項２の発明は、請求項１の低圧放電ランプにおいて、前記半田ディッピング層は、アンチモン、亜鉛、アルミニウムの少なくとも１種類を添加剤として含むことを特徴とするものであり、管状ガラスランプ容器の表面と電流導体層との馴染みが良く、電流導体層が剥がれ難く、放電特性が安定し、また長寿命となる。
【手続補正１８】
【補正対象書類名】明細書
【補正対象項目名】００２６
【補正方法】変更
【補正の内容】
【００２６】
請求項３の発明は、請求項１又は２の低圧放電ランプにおいて、前記半田材は鉛成分を含まないことを特徴とするものであり、低圧放電ランプの製造において環境への悪影響が避けられる。
【手続補正１９】
【補正対象書類名】明細書
【補正対象項目名】００２７
【補正方法】変更
【補正の内容】
【００２７】
請求項４の発明は、請求項１〜３の低圧放電ランプにおいて、前記管状ガラスランプ容器の前記電流導体層を形成すべき部位にブラスト処理面を形成し、当該ブラスト処理面に前記半田ディッピング層を形成して前記電流導体層としたものであり、電流導体層とガラス管との密着性をより強固にし、電流導体層をより剥がれ難くすることがきる。
【手続補正２０】
【補正対象書類名】明細書
【補正対象項目名】００２８
【補正方法】変更
【補正の内容】
【００２８】
請求項５の発明の低圧放電ランプの製造方法は、スズ、スズとインジウムとの合金、若しくはスズとビスマスとの合金のいずれかを主成分とする半田材が溶融する溶融半田槽に管状ガラスランプ容器のランプ端部をディッピングし、外面電極をなす電流導体層を形成することを特徴とするものである。
【手続補正２１】
【補正対象書類名】明細書
【補正対象項目名】００２９
【補正方法】変更
【補正の内容】
【００２９】
請求項５の発明の低圧放電ランプの製造方法では、ガラス管に馴染みの良いスズ、スズとインジウムとの合金、若しくはスズとビスマスとの合金のいずれかを主成分とする半田材の溶融半田槽に管状ガラスランプ容器の端部をディッピングすることで、外面電極をなす電流導体層として管状ガラスランプ容器の表面に均一の密着性のよい半田ディッピング層を形成することができ、高性能な低圧放電ランプを製造することができ、しかも、電流導体層の形成に半田ディッピング法を採用することによって大量生産化が可能で、低圧放電ランプの低価格化が図れる。
【手続補正２２】
【補正対象書類名】明細書
【補正対象項目名】００３０
【補正方法】変更
【補正の内容】
【００３０】
請求項６の発明は、請求項５の低圧放電ランプの製造方法において、前記管状ガラスランプ容器のランプ端部の外周面にブラスト処理を施した後、当該ランプ端部を前記溶融半田槽にディッピングすることを特徴とするものであり、電流導体層とガラス管との密着性をより強固にし、電流導体層がより剥がれ難くなった低圧放電ランプを製造することがきる。
【手続補正２３】
【補正対象書類名】明細書
【補正対象項目名】００３１
【補正方法】変更
【補正の内容】
【００３１】
請求項７の発明は、請求項５又は６の低圧放電ランプの製造方法において、前記半田材はアンチモン、亜鉛、アルミニウムの少なくとも１種類を添加剤として含むことを特徴とするものであり、管状ガラスランプ容器の表面と電流導体層との馴染みを良くし、電流導体層を剥がれ難くし、放電特性が安定し、また長寿命な低圧放電ランプが製造できる。
【手続補正２４】
【補正対象書類名】明細書
【補正対象項目名】００３２
【補正方法】変更
【補正の内容】
【００３２】
請求項８の発明は、請求項５〜７の低圧放電ランプの製造方法において、前記半田材は鉛成分を含まないことを特徴とするものであり、低圧放電ランプの製造において環境への悪影響が避けられる。
【手続補正２５】
【補正対象書類名】明細書
【補正対象項目名】００６５
【補正方法】変更
【補正の内容】
【００６５】
寸法：外径２．６ｍｍ、内径２．０ｍｍ、全長３５０ｍｍ。